(57)【要約】【課題】リモートコントロール送信機による表示装置のＯＮ／ＯＦＦの切替に連動して開閉する開閉扉を備えた表示装置収容構造体において、横方向のサイズをよりコンパクトに形成することができる表示装置収容構造体を提供する。【解決手段】テレビジョンキャビネットは、正面側に開口部を有する表示装置収容部(16)を備えたキャビネット本体(1)と、表示装置収容部(16)の開口部を上下方向に動いて開閉する開閉扉(2,2a)と、開閉扉(2,2a)を開閉方向に動かす扉開閉装置(3)とを備えており、開閉扉(2,2a)はリモートコントロール送信機から発せられる遠隔制御信号を通過させることができ、扉開閉装置(3)はリモートコントロール送信機による液晶テレビジョン(9)のＯＮ／ＯＦＦの切替に連動し、ＯＮの場合は開閉扉(2,2a)を開け、ＯＦＦの場合は開閉扉(2,2a)を閉じるよう動かす構造である。【選択図】図４
2010253249.tif 000002
【特許請求の範囲】
【請求項１】
正面側に開口部を有する表示装置収容部(16)を備えた収容構造体本体(1)と、
表示装置収容部(16)の開口部を上下方向に動いて開閉する開閉扉(2,2a)と、
該開閉扉(2,2a)を開閉方向に動かす扉開閉装置(3)と、
を備えている、
表示装置収容構造体。
【請求項２】
開閉扉が両開き構造の一対の扉(2,2a)で構成されており、各扉(2,2a)は連動手段(34,35)を介し均衡しており、一方の扉が他方の扉のカウンターウエイトとなっている、
請求項１記載の表示装置収容構造体。
【請求項３】
扉開閉装置(3)が、リモートコントロール送信機から発せられる遠隔制御信号を受信することによる表示装置(9)のＯＮ／ＯＦＦの切り替えに連動し、ＯＮの場合は開閉扉(2,2a)を開け、ＯＦＦの場合は開閉扉(2,2a)を閉じるよう開閉扉(2,2a)を動かす構造であり、開閉扉(2,2a)は遠隔制御信号を通過させることができる構造を有している、
請求項１又は２の何れか１項に記載の表示装置収容構造体。
【請求項４】
扉開閉装置(3)が、リモートコントロール送信機から発せられる遠隔制御信号を受信する受信部(38)を有し、表示装置(9)のＯＮ／ＯＦＦの切り替えに連動する開閉扉(2,2a)の開閉は、前記受信部(38)により遠隔制御信号を受信できなかった場合にのみ行う構造を有している、
請求項３記載の表示装置収容構造体。
【請求項５】
扉開閉装置(3)がリモートコントロール送信機から発せられる赤外線信号を受信する受信部(38)を有しており、扉開閉装置(3)は、受信部(38)で受信することによる表示装置(9)のＯＮ／ＯＦＦの切り替えに連動し、ＯＮの場合は開閉扉(2b,2c)を開け、ＯＦＦの場合は開閉扉(2b,2c)を閉じるよう開閉扉(2b,2c)を動かす構造であり、  
受信部(38)は、表示装置収容構造体の外部から発せられる赤外線信号を受信できるように、該構造体の外面部に又は信号通過部(381)を介し外面より内部側に配されており、
受信部(38)が赤外線信号を受信すると発光する発光部(382)を有し、
発光部(382)は、リモートコントロール送信機から発せられ受信部(38a)で受信した赤外線信号と同じ情報を有する赤外線信号を再現して発光し、表示装置収容部(16)に設置される表示装置(9)の受信部(90)が発光部(382)の赤外線信号を感知できる位置に設置されている、
請求項１又は２の何れか１項に記載の表示装置収容構造体。
【発明の詳細な説明】
【技術分野】
【０００１】
本発明は、表示装置収容構造体に関する。更に詳しくは、リモートコントロール送信機により発せられる遠隔制御信号を受信することにより開閉する開閉扉を備えた表示装置収容構造体において、横方向のサイズをよりコンパクトに形成することができるものに関する。
【背景技術】
【０００２】
近年、旧来のブラウン管式のテレビジョンに代わり、薄型で大画面のプラズマテレビジョンや液晶テレビジョンが主流となっている。本発明者は、このような大画面の液晶テレビジョン等の視聴しないときの圧迫感を解消するものとして、特許文献１において「表示装置収容構造体の開閉扉構造及び表示装置収容構造体」を提案した。
【０００３】
特許文献１に記載のものは、リモートコントロール送信機による操作に連動して横方向にスライドして開閉する開閉扉を備えた表示装置収容構造体であって、リモートコントロール送信機から発せられる遠隔制御信号を通すことができる開閉扉の信号通過部を木質等の透視性のない素材を使用して構成することにより、例えばアクリル等の透明なプラスチックを採用する場合と相違して、デザイン上の一体感を付与できるようにしたものである。
【先行技術文献】
【特許文献】
【０００４】
【特許文献１】特開２００８−１０１３４８
【発明の概要】
【発明が解決しようとする課題】
【０００５】
前記特許文献１に開示したものは、開閉扉に木質等の透視性のない素材を使用しながらリモートコントロール送信機から発せられる遠隔制御信号を通すことができるようにしたことで、主に各種木質素材を使用してつくられる収容構造体にデザイン上の一体感を付与でき、高級な木質素材を使用しているのも関わらず低廉に見えてしまうことを防止できる点においては十分に有用であった。
【０００６】
しかしながら、収容構造体の開閉扉は横方向にスライドして開閉するようになっているために、次のような改良の余地があることもわかってきた。
すなわち、前記収容構造体のように、二枚の開閉扉が横方向にスライドして開閉される構造においては、各扉が最大まで開いたときに各扉を内側に収めておくために、収容構造体の幅は少なくとも開口部の幅の二倍の幅が必要になる。このため、特に横方向においてコンパクトな収容構造体を製造することが困難であり、収容構造体がどうしても大型化してしまっていた。
【０００７】
（本発明の目的）
本発明の目的は、リモートコントロール送信機により発せられる遠隔制御信号を受信することにより開閉する開閉扉を備えた表示装置収容構造体において、横方向のサイズをよりコンパクトに形成することができる表示装置収容構造体を提供することである。
【課題を解決するための手段】
【０００８】
上記課題を解決するために本発明が講じた手段は次のとおりである。
【０００９】
（１）本発明は、正面側に開口部を有する表示装置収容部を備えた収容構造体本体と、
該表示装置収容部の開口部を上下方向に動いて開閉する開閉扉と、
該開閉扉を開閉方向に動かす扉開閉装置と、
を備えている、
表示装置収容構造体である。
【００１０】
（２）本発明は、開閉扉が両開き構造の一対の扉で構成されており、各扉は連動手段を介し均衡しており、一方の扉が他方の扉のカウンターウエイトとなっている、
前記（１）の表示装置収容構造体である。
【００１１】
（３）本発明は、扉開閉装置が、リモートコントロール送信機から発せられる遠隔制御信号を受信することによる表示装置のＯＮ／ＯＦＦの切り替えに連動し、ＯＮの場合は開閉扉を開け、ＯＦＦの場合は開閉扉を閉じるよう開閉扉を動かす構造であり、開閉扉は遠隔制御信号を通過させることができる構造を有している、
前記（１）又は（２）の表示装置収容構造体である。
【００１２】
（４）本発明は、扉開閉装置が、リモートコントロール送信機から発せられる遠隔制御信号を受信する受信部を有し、表示装置のＯＮ／ＯＦＦの切り替えに連動する開閉扉の開閉は、前記受信部により遠隔制御信号を受信できなかった場合にのみ行う構造を有している、
前記（３）の表示装置収容構造体である。
【００１３】
（５）本発明は、扉開閉装置がリモートコントロール送信機から発せられる赤外線信号を受信する受信部を有しており、扉開閉装置は、受信部で受信することによる表示装置のＯＮ／ＯＦＦの切り替えに連動し、ＯＮの場合は開閉扉を開け、ＯＦＦの場合は開閉扉を閉じるよう開閉扉を動かす構造であり、  
受信部は、表示装置収容構造体の外部から発せられる赤外線信号を受信できるように、該構造体の外面部に又は信号通過部を介し外面より内部側に配されており、
受信部が赤外線信号を受信すると発光する発光部を有し、
発光部は、リモートコントロール送信機から発せられ受信部で受信した赤外線信号と同じ情報を有する赤外線信号を再現して発光し、表示装置収容部に設置される表示装置の受信部が発光部の赤外線信号を感知できる位置に設置されている、
前記（１）又は（２）の表示装置収容構造体である。
【００１４】
（作用）
本発明に係るテレビジョンキャビネットの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１５】
本発明に係る表示装置収容構造体は、次のように作用する。
表示装置収容構造体(T)の表示装置収容部(16)に収容されている表示装置(9)でテレビ番組等を視聴する場合は、表示装置収容部(16)の開口部に設けられている開閉扉(2,2a)を扉開閉装置(3)によって上方向又は下方向へ動かして開けるようにする。
【００１６】
このように、開閉扉(2,2a)は上下に動かすことで表示装置収容部(16)の開口部を開閉するようになっているので、表示装置収容構造体(T)は、開閉扉(2,2a)の幅とほぼ同じ幅に合わせることが可能になり、開閉扉(2,2a)が横方向にスライドして開閉される構造のものと比較して、横方向のサイズをよりコンパクトに形成することができる。
【００１７】
扉開閉装置(3)がリモートコントロール送信機による表示装置(9)のＯＮ／ＯＦＦの切り替えに連動するものは、表示装置(9)の電源をＯＮの状態にすべくリモートコントロール送信機を操作すると、リモートコントロール送信機から発せられる遠隔制御信号が閉じている開閉扉(2,2a)を通過し、その後方に位置する表示装置(9)の受信部に受信される。これにより、表示装置(9)の電源がＯＮの状態になるとともに開閉扉(2,2a)も開くので、表示装置(9)を視聴できるようになる。
【００１８】
また、表示装置(9)の視聴を止めるときは、表示装置(9)の電源をＯＦＦの状態にすべくリモートコントロール送信機を操作すると、リモートコントロール送信機から発せられる遠隔制御信号が表示装置(9)の受信部に受信され、表示装置(9)はＯＦＦ状態となるとともに開閉扉(2,2a)は閉じて、表示装置(9)は開閉扉(2,2a)に隠れる。
【００１９】
扉開閉装置(3)が、リモートコントロール送信機から発せられる遠隔制御信号を受信する受信部(38)を有し、表示装置(9)のＯＮ／ＯＦＦの切り替えに連動する開閉扉(2,2a)の開閉は受信部(38)により遠隔制御信号を受信できなかった場合にのみ行うものは、表示装置(9)に連動する場合は作動が遅いため、通常は受信した後の作動が速い受信部(38)による受信で作動させるようにし、もし仮に受信部(38)が受信できなかったときには、表示装置(9)に連動させることで、タイミングが多少遅れても確実に開閉扉(2,2a)が開閉される。
これにより、開閉扉(2,2a)の開閉を使用者がストレスをより感じにくいようにして行うことができる。
【００２０】
受信部(38)は、表示装置収容構造体の外部から発せられる赤外線信号を受信できるように、該構造体の外面部に又は信号通過部(381)を介し外面より内部側に配されており、受信部(38)が赤外線信号を受信すると発光する発光部(382)を有し、発光部(382)は、リモートコントロール送信機から発せられ受信部(38a)で受信した赤外線信号と同じ情報を有する赤外線信号を再現して発光し、表示装置収容部(16)に設置される表示装置(9)の受信部(90)が発光部(382)の赤外線信号を感知できる位置に設置されているものは、開閉扉(2b,2c)の開閉状態に関係なく、リモートコントロール送信機により発せられる赤外線信号を受信部(38a)で確実に受信することができ、この赤外線信号を発光部(382)で再現して表示装置(9)の受信部(90)により受信させることにより、開閉扉と表示装置(9)のＯＮ／ＯＦＦの切り替えを円滑に連動させることができる。
したがって、開閉扉(2b,2c)は、赤外線信号の透過性に捕らわれることなく、赤外線信号を透過しない多様な材料の使用が可能になる。また、これによりデザイン性に優れ、さらに多様なデザインが可能になり、商品性を高めることができる。
【発明の効果】
【００２１】
本発明は、リモートコントロール送信機により発せられる遠隔制御信号を受信することにより開閉する開閉扉を備えた表示装置収容構造体において、横方向のサイズをよりコンパクトに形成することができる表示装置収容構造体を提供することができる。
【図面の簡単な説明】
【００２２】
【図１】本発明に係るテレビジョンキャビネットの一実施例の外観を示す正面図。
【図２】本発明に係るテレビジョンキャビネットの一実施例の外観を示す平面図。
【図３】本発明に係るテレビジョンキャビネットの一実施例の外観を示す側面図。
【図４】図３におけるＡ−Ａ断面図。
【図５】図１におけるＢ−Ｂ断面図。
【図６】図１における一部を省略したＣ−Ｃ拡大断面図。
【図７】扉開閉装置の構造を示す一部を省略した正面視拡大説明図。
【図８】扉開閉装置の構造を示す一部を省略した側面視拡大説明図。
【図９】本発明に係るテレビジョンキャビネットの他実施例を示し扉を一部切り欠いた正面視説明図。
【図１０】受信部の取り付け構造を示す図９におけるＤ−Ｄ一部拡大断面図。
【発明を実施するための形態】
【００２３】
本発明を図面に示した実施例に基づき詳細に説明する。
【実施例１】
【００２４】
表示装置収容構造体であるテレビジョンキャビネットＴは、キャビネット本体１と、一対の開閉扉２、２ａ及びキャビネット本体１の両側板内側に設けられている扉開閉装置３を備えている。テレビジョンキャビネットＴは、内部に薄型で大画面の液晶テレビジョン９を外から見えないように収容することができるものである。
【００２５】
テレビジョンキャビネットＴは、リモートコントロール送信機（図示省略）から発せられる遠隔制御信号を受信することにより、テレビジョンキャビネットＴの一対の開閉扉２、２ａが画面前方で上下方向に開閉することによって、開いたときには液晶テレビジョン９を外部から視聴することができ、閉じたときには液晶テレビジョン９が外部から見えないよう隠すことができるように構成されている。
【００２６】
（キャビネット本体１）
テレビジョンキャビネットＴは、キャビネット本体１を有している。キャビネット本体１は、主に木質素材を使用して全体が形成され、外観や手触りなどにおいて木の温もりが感じられるようにしてある。なお、本実施例では、テレビジョンキャビネットＴの高級感を高めるために、表面材として黒檀や紫檀などの高級木材が使われているが、使用する木材の種類は、特にこれらに限定するものではない。
【００２７】
キャビネット本体１は、テレビジョンキャビネットＴのコンパクト化を図るために、液晶テレビジョン９等の表示装置を収容することができるだけの奥行きは確保しつつ比較的薄くなるように形成されている（図５参照）。キャビネット本体１は、台輪１０を含む底板１１、背板１２、両側板１３、１４及び天板１５を有している。
【００２８】
天板１５には、キャビネット本体１内部を照らすダウンライト１５０を複数備えている。キャビネット本体１内部には、中段部に表示装置収容部１６が設けられ、その上方には上部収容部１７が、下方には下部収容部１８が、それぞれ棚板１７２、１８２で仕切られて設けられている。
【００２９】
前記表示装置収容部１６、上部収容部１７及び下部収容部１８の正面側は開口部（符号省略）となっており、上部収容部１７の開口部には二枚の観音開き構造のガラス戸１７０、１７１が取り付けられ、下部収容部１８の開口部にも同様に二枚の観音開き構造のガラス戸１８０、１８１が取り付けられている。
【００３０】
また、表示装置収容部１６には、薄型大画面の液晶テレビジョン９を収容することができる。表示装置収容部１６の正面側の開口部には、開口部の開閉ができるようにして開閉扉２、２ａが配されている。
【００３１】
（開閉扉２、２ａ）
図１に示すように、上下一対の開閉扉２、２ａは、それぞれ四角形に形成され、木製の枠体２０（図６に図示）と、枠体２０で囲まれた扉本体２１を有している。上側の開閉扉２と下側の開閉扉２ａは、ほぼ同じ大きさに形成され、重さもほぼ同じである。これにより、下側の開閉扉２ａは、後述する駆動ワイヤ３３及び吊りワイヤ３５を介しつながれた上側の開閉扉２に対してカウンターウエイトの機能を果たし、開閉扉２、２ａは相互に釣り合いがとれるようにしてある。
【００３２】
各扉本体２１は、正面側から順に、透視性を有するガラス板２１０、突き板２１１、木板２１２が積層されている。突き板２１１は、ごく薄く（例えば０．２ｍｍ）形成されている。また、下側の開閉扉２ａの木板２１２には、多数の例えば円形の貫通孔２１３がほぼ全体に設けられている（図１、図６参照）。
【００３３】
この構造によれば、各扉本体２１は、正面側からガラス板２１０を通して突き板２１１の木目が見えて、いわゆる木目調の外観となり、開閉扉２、２ａが閉じると、液晶テレビジョン９が外部から見えないように隠すことができる。また、リモートコントロール送信機から発せられる遠隔制御信号である赤外線信号は、下側の開閉扉２ａのガラス板２１０、突き板２１１及び木板２１２の各貫通孔２１３を通して扉本体２１を通過する。
【００３４】
図６に示すように、開閉扉２、２ａには、それぞれ両側に振止輪２２が複数設けられており、振止輪２２はキャビネット本体１の両側板１３、１４内面の正面寄りに鉛直方向に設けられた案内レール１９に沿わせてある。
開閉扉２、２ａは、後述するように扉開閉装置３の各ワイヤ３３、３５によって上下方向に動かされる構造となっており、各振止輪２２を案内レール１９に沿わせることで、安定した昇降が可能である。
【００３５】
（扉開閉装置３）
扉開閉装置３は、開閉扉２、２ａを上下方向に動かして開閉動作をさせる機構部（符号省略）と、この機構部の動きを制御する制御部（符号省略）で構成されている。
【００３６】
機構部は、一方の側板１３内面の正面寄り（前記案内レール１９の後側）に鉛直方向に固定されたライナー３０を備えている。ライナー３０は、金属製の薄板で断面コ字状に形成されており、前記天板１５の高さよりやや下側の位置から底板１１上面位置までの長さを有している。ライナー３０は、長さ方向に等間隔で多数の通孔３００を備えており、通孔３００を通して所要の箇所でネジ止めされている。
【００３７】
ライナー３０の下部寄り（前記棚板１８２の高さよりやや低い位置）には、取付具３１０によってステッピングモータ３１が固定されている。ステッピングモータ３１の回転軸３１１は、テレビジョンキャビネットＴの正面側に向けてあり、回転軸３１１にはプーリー３１２が固定されている。
【００３８】
ライナー３０の上部寄り（前記棚板１７２の高さよりやや高い位置）には、正面視縦長で長方形状の取付板３２が固定されている。取付板３２の上部両側には、滑車３２０、３２１が回転軸（符号省略）をテレビジョンキャビネットＴの正面側へ向けて同じ高さに取り付けられている。また、滑車３２０、３２１の間でやや下方には緩衝滑車３２２が設けられている。緩衝滑車３２２は、バネ３２６で下方へ付勢された調整具３２３に回転軸（符号省略）を正面側へ向けて取り付けられている。
【００３９】
前記ステッピングモータ３１のプーリー３１２、滑車３２０、３２１及び緩衝滑車３２２には、ステンレススチール製の駆動ワイヤ３３がほぼ緩みがないようにして回し掛けられている。駆動ワイヤ３３は、図７において右側の滑車３２０には上から、緩衝滑車３２２には下から、左側の滑車３２１には上からそれぞれ回し掛けられている。
【００４０】
なお、滑車３２０の左斜め上方には押さえローラ３２４が取付具３２５により固定されている。押さえローラ３２４は、外周部が滑車３２０の外周部に接触させてあり、滑車３２０とともに回転するようになっている。この押さえローラ３２４が設けられている構造により、滑車３２０から駆動ワイヤ３３が外れることを防止できる。
【００４１】
駆動ワイヤ３３の図７において左側の経路３３１の所要箇所は、上側の開閉扉２の右側の背面下端部に固定具２３によって固定されている。開閉扉２の背面には、固定具２３よりやや上部に金属製の反射板２９が後方へ張り出すようにして固定されている。反射板２９は反射面２９０が側板１３と平行になるようにしてあり、後述する上部センサ３６、下部センサ３７の信号（光）を反射するものである。
【００４２】
また、駆動ワイヤ３３の右側の経路３３２の所要箇所は、下側の開閉扉２ａの右側の背面下端部に固定具２４によって固定されている。前記両経路３３１、３３２の固定箇所は、開閉扉２の下端縁と開閉扉２ａの上端縁が、前記表示装置収容部１６の上下方向における中間の高さで接触して閉じることができるように設定されている（図４、図５参照）。
【００４３】
また、他方の側板１４内面の正面寄りには、前記棚板１７２よりやや高い位置に取付具３４０によって滑車３４が取り付けられている（図４、図７参照）。滑車３４は、回転軸（符号省略）を正面側へ向けて取り付けられている。滑車３４には、ステンレススチール製の吊りワイヤ３５がほぼ緩みがないようにして回し掛けられている。
【００４４】
吊りワイヤ３５の一方の端部は、図７において上側の開閉扉２の左側の背面側下端部に固定具２５で固定されており、吊りワイヤ３５の他方の端部は、下側の開閉扉２ａの背面側上端部に固定具２６で固定されている。
【００４５】
前記駆動ワイヤ３３及び吊りワイヤ３５を使用した吊り構造によれば、開閉扉２、２ａは上下端部縁が水平な状態でほぼ釣り合った均衡状態となり、開閉扉２、２ａの昇降動を僅かな力で行うことができる。これにより、扉開閉装置３は、より低出力なモータによる駆動が可能であり、電力の消費も低く押さえることができる。
【００４６】
前記構造によれば、ステッピングモータ３１のプーリー３１２が回転し、駆動ワイヤ３３が図４、図７において右回転周動すると、開閉扉２、２ａは互いに上下方向において離れる方向に動き、開閉扉２、２ａは開く。また、駆動ワイヤ３３が左回転周動すると、開閉扉２、２ａは互いに上下方向において近付く方向に動き、開閉扉２、２ａは閉じる。
【００４７】
前記ライナー３０の上部（取付板３２より下側）には、上部センサ３６が上下二箇所に設けられており、ライナー３０の中間部（前記開閉扉２、２ａが閉じるときの接触面の高さより上側）には、下部センサ３７が上下二箇所に設けられている（図４、図７参照）。
【００４８】
前記各センサ３６、３７は近接センサであり、特定波長の光を送受信することができる送受信兼用型である。各センサ３６、３７は、内方（図４、図７で左方）へ向けて光を送出し、前記開閉扉２の反射板２９で反射した光を受信することによって開閉扉２の位置を検知することができる。
【００４９】
側板１３の内面下部には、前記制御部を構成する制御ボックス３９が取り付けられている（図４、図５参照）。制御ボックス３９内には、開閉扉２、２ａの動きを制御する制御装置（図示省略）が収容されている。
符号３８は前記制御ボックス３９の制御装置に直接接続された受信部であり、収容された液晶テレビジョン９の正面側に取り付けられる。制御装置は、受信部３８がリモートコントロール送信機の赤外線信号を受信すると開閉扉２、２ａを開閉するよう扉開閉装置３を制御する。
【００５０】
また、制御装置は前記機能と合わせて、液晶テレビジョン９に流れる電流の電圧を検知する電圧検知センサを有し、電圧検知センサによって液晶テレビジョン９の電源コードに流れる電流の電圧の変化を検知する（予め設定された電圧より高い場合にＯＮと判断し、低い場合にＯＦＦと判断する。）ことで、液晶テレビジョン９の電源のＯＮ／ＯＦＦの切り替えに連動して開閉扉２、２ａを開閉するよう扉開閉装置３を制御する。
【００５１】
前記制御装置は、上下両側から閉まる開閉扉２、２ａで使用者が指等を挟んで怪我をすることがないように、開閉扉２、２ａが閉じる途中で下部センサ３７が上側の開閉扉２の反射板２９を検知すると、ステッピングモータ３１の回転を止めて、開閉扉２、２ａを閉じ位置で停止させる。また、開閉扉２、２ａが開く途中で上部センサ３６が上側の開閉扉２の反射板２９を検知すると、ステッピングモータ３１の回転を止めて、開閉扉２、２ａを所定の開き位置で停止させる。
【００５２】
また、制御装置に、開閉扉２、２ａが閉じたときに開閉扉２、２ａの間に物が挟まったことを検知して開閉扉２、２ａの動きを止めるか、あるいは動きを止めると共に反対の開く方向の動きに切り替える機能を備えてもよい。なお、前記天板１５に設けられているダウンライト１５０は、制御装置からの制御信号を受けて、開閉扉２、２ａが開くと同時に点灯するようになっている。
【００５３】
（作 用）
図１ないし図８を参照してテレビジョンキャビネットＴの作用を説明する。
テレビジョンキャビネットＴの表示装置収容部１６内に液晶テレビジョン９を背板１２に固定して収容する。液晶テレビジョン９は、赤外線信号を受信する受信部９０を備えている。
なお、リモートコントロール送信機は、液晶テレビジョン９の電源のＯＮ／ＯＦＦ操作をするための遠隔制御信号である赤外線信号を発することができる。
【００５４】
図１に示すように、液晶テレビジョン９を視聴しないとき（液晶テレビジョン９の電源はＯＦＦの状態）は、開閉扉２、２ａが閉じており、液晶テレビジョン９は開閉扉２、２ａの後方に隠れており外部からは見えない。よって、仮にテレビジョンキャビネットＴを狭いリビングに置いたとしても、少なくとも視聴しないときには大画面の液晶テレビジョン９から受ける圧迫感はない。
【００５５】
［液晶テレビジョン９を視聴するとき］
液晶テレビジョン９の電源をＯＮの状態にすべくリモートコントロール送信機を操作すると、リモートコントロール送信機から発せられる赤外線信号が、閉じている下側の開閉扉２ａを通過し、その後方に位置する液晶テレビジョン９の受信部９０及び制御装置につながる受信部３８により受信される。
【００５６】
受信部３８が赤外線信号を受信したことを制御ボックス３９内の制御装置が検知すると扉開閉装置３が駆動され、開閉扉２、２ａはすぐに開かれる。開閉扉２、２ａは、所定の位置まで開いたところで停止する。
【００５７】
また、受信部９０が赤外線信号を受信することにより、液晶テレビジョン９の電源がＯＮの状態になる。前記のように、受信部３８が赤外線信号を受信することにより開閉扉２、２ａが開けば、制御装置は液晶テレビジョン９の電源のＯＮの切り替えに連動する開閉扉２、２ａを開くための制御は行わない。
【００５８】
このように開閉扉２、２ａがすぐに開くので、液晶テレビジョン９に画像が表示されたときには開閉扉２、２ａはすでに開いており、リモートコントロール送信機の操作からごく短時間で液晶テレビジョン９を視聴できるようになる。
【００５９】
仮に何らかの原因で受信部３８による赤外線信号の受信ができなかった場合は、液晶テレビジョン９の電源がＯＮになったことを制御装置が検知し、開閉扉２、２ａを開くための制御を行う。これにより、前記作動と比較してタイミングが多少遅れるが、開閉扉２、２ａは確実に開かれる。これにより、開閉扉２、２ａの開閉を使用者がストレスをより感じにくいようにして行うことができる。
【００６０】
また、受信部３８による赤外線信号の受信ができて受信部９０による受信ができなかった場合は、液晶テレビジョン９の電源はＯＦＦのままであり、制御装置の制御によって開閉扉２、２ａは一旦開くが、制御装置が液晶テレビジョン９の電源がＯＦＦであることを検知して開閉扉２、２ａはすぐに閉じる。
【００６１】
なお、開閉扉２、２ａが開閉する速度は、制御装置により制御され、動き始めは比較的遅く、途中は速くなり、停止位置に近付くと遅くなるようにしている。また、開閉扉２、２ａはリモートコントロール送信機のＯＮ操作とほぼ同時に、液晶テレビジョン９の画像が表示されないうちに動き始めるようになっている。
【００６２】
前記速度に変化をつける動作は、開閉扉２、２ａを開けるときに扉が早く開きすぎると液晶テレビジョン９に画像が表示されないうちに開いてしまうので画面が表れるまでに使用者にできるだけストレスを感じさせないようにするためのものである。また、前記動作は、開閉扉２、２ａを閉じるときは、開閉扉２、２ａで使用者が指を挟む等の危険を緩和し、安全性を高めることができる。
【００６３】
［液晶テレビジョン９の視聴を止めるとき］
液晶テレビジョン９の電源をＯＦＦの状態にすべくリモートコントロール送信機を操作すると、赤外線信号が液晶テレビジョン９の受信部９０及び制御装置につながる受信部３８により受信される。
【００６４】
受信部３８が赤外線信号を受信したことを制御ボックス３９内の制御装置が検知すると扉開閉装置３が駆動され、開閉扉２、２ａはすぐに閉じられる。開閉扉２、２ａは、所定の位置まで閉じたところで停止する。
【００６５】
また、受信部９０が赤外線信号を受信することにより、液晶テレビジョン９の電源がＯＦＦの状態になる。前記のように、受信部３８が赤外線信号を受信することにより開閉扉２、２ａが閉じれば、制御装置は液晶テレビジョン９の電源のＯＦＦの切り替えに連動する開閉扉２、２ａを閉じるための制御は行わない。
開閉扉２、２ａが閉じることにより、液晶テレビジョン９が開閉扉２、２ａに隠れて、前記最初の状態に戻る。
【００６６】
仮に受信部３８による赤外線信号の受信ができなかった場合は、液晶テレビジョン９の電源がＯＦＦになったことを制御装置が検知し、開閉扉２、２ａを閉じるための制御を行う。これにより、前記作動と比較してタイミングが多少遅れるが、開閉扉２、２ａは確実に閉じられる。
【００６７】
このように、開閉扉２、２ａは上下に動かすことで表示装置収容部１６の開口部を開閉するようになっているので、テレビジョンキャビネットＴは、開閉扉２、２ａの幅とほぼ同じ幅に合わせて製造することが可能になる。
したがって、開閉扉が横方向にスライドして開閉される従来のものと比較して、テレビジョンキャビネットＴの横方向のサイズをよりコンパクトに形成することができる。
【実施例２】
【００６８】
図９、図１０を参照する。
なお、図面において前記テレビジョンキャビネットＴと同等又は同一箇所には同一の符号を付し、構造について重複する説明は省略する。
テレビジョンキャビネットＴ２は、開閉扉２ｂ、２ｃが表面が木目調の木質材料で形成されている。開閉扉２ｂ、２ｃは、前記テレビジョンキャビネットＴの開閉扉２、２ａとは相違して、遠隔制御信号である赤外線信号は透過しない構造となっている。
【００６９】
キャビネット本体１の正面側の両端部には、所要の幅の正面端板１３０、１４０が上下方向に設けられている。図９で右側の正面端板１３０の上下方向中間部の裏側（内部側）には、裏側が開放された取付凹部１３１（図１０に図示）が形成されている。取付凹部１３１は、開閉扉２ｂ、２ｃが閉じたときに合わさる位置と同じかほぼ同じ高さに形成されている。
正面端板１３０において取付凹部１３１の正面側に残った厚み部分には、厚み部分を貫通して信号通過孔１３２が形成されている。本実施例では、外観上、信号通過孔１３２が目立たないように、直径３ｍｍで形成されているが、この大きさに限定されるものではない。また、信号通過孔１３２を透光性材料（例えば透明なガラスや合成樹脂等）で塞ぐ構造としてもよい。
【００７０】
取付凹部１３１には、受信部３８ａが取り付けられている。受信部３８ａからは、制御装置用ケーブル３８０が延長されており、制御装置用ケーブル３８０は、下方の制御ボックス３９内の制御装置に接続されている。また、制御装置からは発光部用ケーブル３８１が延長されており、その先端には発光部３８２が取り付けられている。発光部３８２は、制御装置によって、リモートコントロール送信機から発せられ受信部３８ａで受信した赤外線信号と同じ情報を有する赤外線信号を再現して発光することができる。
【００７１】
発光部３８２は、表示装置収容部１６に設置される液晶テレビジョン９の受信部９０が発光部３８２の光（赤外線信号）を感知できるように、図９で受信部９０の左隣りに設置されている。なお、発光部３８２の設置位置は、光を感知できる位置であればこれに限定されるものではなく、例えばキャビネット本体１の側板１３の内面側等、他の箇所に設置することもできる。
【００７２】
（作用）
テレビジョンキャビネットＴ２は、次のように作用する。
まず、開閉扉２ｂ、２ｃの開閉状態に関係なく、リモートコントロール送信機により発せられる赤外線信号を受信部３８ａで受信することができ、この赤外線信号を発光部３８２で再現して液晶テレビジョン９の受信部９０により受信させることにより、開閉扉２ｂ、２ｃと液晶テレビジョン９のＯＮ／ＯＦＦの切り替えを円滑に連動させることができる。
【００７３】
また、前記したように、開閉扉２ｂ、２ｃは、遠隔制御信号である赤外線信号は透過しないので、赤外線信号の透過性に捕らわれることなく、赤外線信号を透過しない多様な材料の使用が可能になる。また、これによりデザイン性に優れ、前記実施例１の開閉扉２、２ａよりもさらに多様なデザインが可能になり、テレビジョンキャビネットＴ２の商品性を高めることができる。
【００７４】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００７５】
Ｔ  テレビジョンキャビネット
１  キャビネット本体
１０  台輪
１１  底板
１２  背板
１３  側板
１４  側板
１５  天板
１５０  ダウンライト
１６  表示装置収容部
１７  上部収容部
１７０、１７１  ガラス戸
１７２  棚板
１８  下部収容部
１８０、１８１  ガラス戸
１８２  棚板
１９  案内レール
２  開閉扉
２ａ  開閉扉
２０  枠体
２１  扉本体
２１０  ガラス板
２１１  突き板
２１２  木板
２１３  貫通孔
２２  振止輪
２３  固定具
２４  固定具
２５  固定具
２６  固定具
２９  反射板
２９０  反射面
３  扉開閉装置
３０  ライナー
３００  通孔
３１  ステッピングモータ
３１０  取付具
３１１  回転軸
３１２  プーリー
３２  取付板
３２０  滑車
３２１  滑車
３２２  緩衝滑車
３２３  調整具
３２６  バネ
３２４  押さえローラ
３２５  取付具
３３  駆動ワイヤ
３３１  経路
３３２  経路
３４  滑車
３４０  取付具
３５  吊りワイヤ
３６  上部センサ
３７  下部センサ
３８  受信部
３９  制御ボックス
９  液晶テレビジョン
９０  受信部
Ｔ２  テレビジョンキャビネット
２ｂ、２ｃ  開閉扉
１３０、１４０  正面端板
１３１  取付凹部
１３２  信号通過孔
３８ａ  受信部
３８０  制御装置用ケーブル
３８１  発光部用ケーブル
３８２  発光部
【図１】
2010253249.tif 000003
【図２】
2010253249.tif 000004
【図３】
2010253249.tif 000005
【図４】
2010253249.tif 000006
【図５】
2010253249.tif 000007
【図６】
2010253249.tif 000008
【図７】
2010253249.tif 000009
【図８】
2010253249.tif 000010
【図９】
2010253249.tif 000011
【図１０】
2010253249.tif 000012